(57)【特許請求の範囲】
【請求項１】
椅子の背もたれの背面部又は背もたれが取り付くバックフレームに固定される左右横長の取付け部と、平面視で前記取付け部の左右両端から後ろ向きに延びる左右の中間部と、前記左右中間部の後端から左右外側に延びていて衣類が掛けられるアーム部とから成り、これら取付け部と中間部とアーム部との三者から成る全体が樹脂で一体成形されている構成であって、
前記左右中間部を、前記取付け部に直接に繋がっていて側面視で後方と上方とに延びる形態とすることにより、前記取付け部と左右中間部とが、平面視では後ろ向き開口略コ字状の形態で背面視では上向き開口略コ字状の形態になっており、前記左右アーム部は連続せずに両者の間には空間が空いている、
椅子用ハンガー。
【請求項２】
背もたれの裏側にバックフレームが配置されており、前記バックフレームの上部に衣類用ハンガーを取り付けている、という構成であって、
前記バックフレームは、前記背もたれの縦長中心線を挟んだ左右両側において上下方向に延びる左右の縦枠と、前記左右縦枠の上端を一体に繋ぐ上枠と、前記上枠の前面部と左右縦枠の上部前面部とに一体に設けられたアッパープレートとを主要素としており、前記アッパープレートは左右縦枠の左右外側に延びると共に上枠の上下両側に広がっており、このためバックフレームの上部には、左右縦枠と上枠とアッパープレートとで囲われた後ろ向き開口の上部凹所が形成されている一方、
前記ハンガーは、前記バックフレームの上部凹所に裏側から重ねて固定される取付け部と、平面視で前記取付け部の左右両端から後ろ向きに延びる左右の中間部と、前記左右中間部の後端から左右外側に延びていて衣類が掛けられるアーム部とを備えており、前記取付け部と左右中間部とは、平面視では後ろ向き開口略コ字状の形態で背面視では上向き開口略コ字状の形態になっており、左右アーム部は連続せずに両者の間には空間が空いている、
衣類用ハンガー付き椅子。
【発明の詳細な説明】
【技術分野】
【０００１】
本願発明は、椅子に取り付ける衣類用のハンガー、及び、衣類用ハンガーが取付けられている椅子に関するものである。
【背景技術】
【０００２】
椅子に衣類用ハンガーを取り付けることは従来から行われている。ハンガーは、必須の要素として衣類が掛けられる支持部を有しているが、椅子用のハンガーは椅子の背もたれ又はバックフレーム（背フレーム）に取り付ける部分が必要であり、そこで従来は、一般に、支持部に下向きの足部を設けて、この足部を椅子の背もたれやバックフレームに取り付けている。
【０００３】
ハンガーの支持部は人の肩に相当するもので機能的には左右２つあると言えるが、従来技術においてハンガーの支持部は左右に一連に延びているのが殆どである一方、足部は１本の場合と２本の場合とに大別される。足部が１本の例としては例えば特許文献１があり、足部が２本の例として特許文献２〜４がある。
【０００４】
他方、支持部が左右に分離しているタイプのハンガーも存在しており、その例が特許文献５，６に開示されている。特許文献５では、背もたれの背面に固定される１つの取付け部に線材製の左右ハンガー体を固定するにおいて、左右のハンガー体を上に行くに従って左右足部の間隔が広がるように傾斜させて、左右足部の状態に、左右内側に延びる支持部を一体に曲げ形成している。従って、左右ハンガー体の左右支持部の間には空間が空いている。
【０００５】
他方、特許文献６では、ハンガーは下端が一体に連結された左右２本の足部を有しており、背面視で上向き開口コ字状（或いはＵ字状）に形成された足部（分岐杆）を備えており、左右足部の状態に左右外向きの支持部（ハンガー部）を折り曲げ形成している。また、特許文献６では、ハンガーの足部には縦長の１本の脚杆部が固着されており、この脚杆部は縦枠に高さ調節自在に装着された昇降体に固定されている。
【特許文献１】特開２００６−２８０４５５号公報
【特許文献２】特開２００６−８７５２８号公報
【特許文献３】特開２００５−１３１３３５号公報
【特許文献４】特開２００４−３５１１１８号公報
【特許文献５】特開２００４−１２１４０３号公報
【特許文献６】実開昭５０−６８００８号公報
【発明の開示】
【発明が解決しようとする課題】
【０００６】
さて、人が椅子を使用する場合、例えば背もたれの上端に肘を載せたり、ロッキング時に上半身を後ろに大きく反らしたりということがあり、これらの場合、ハンガーの支持部を背もたれの上端と同じ程度の高さに設定しておくと、衣服に手等の身体が触れるのを回避できて好適である。また、ハンガーに衣類を掛けたままで手で背もたれの上端部を掴んで椅子を移動させることがあるが、この場合も、ハンガーの支持部が背もたれの上端と同じ程度かそれより低い高さであると背もたれを掴み易いと言える。また、ハンガーが背もたれの上方にはみ出過ぎると見た目が悪いという問題もある。従って、椅子用のハンガーとして、背もたれの上面からあまり（或いは全く）上方にはみ出ない状態に配置したいという要請があると言える。
【０００７】
これに対して特許文献１〜５では、ハンガーの支持部は背もたれの上方にはみ出ており（ここに例示していない他の多くの特許文献も同様である。）、上記の要請には応えていないと言える。その理由は、特許文献１〜５では、ハンガーの足部が支持部から単に下向きに延びているに過ぎず（足部は側面視で曲がっている例も見られるが）、そこで、支持部と背もたれとの干渉を回避するために支持部を背もたれの上方に位置させており、その結果、上記の要請に応え難いと言える。
【０００８】
他方、特許文献６では、脚杆部は背もたれの後ろ側に配置されており、このため、ハンガーの支持部が背もたれの上端より下方に移動させ得る。しかし、特許文献６は背もたれの裏側に昇降体を上下動自在に配置せねばならないため、ハンガーの支持構造が著しく複雑化するという別の問題が生じる。
【０００９】
また、ハンガーに掛けるのは背広のような袖付きの衣類に限らず、例えばタオルやマフラーのような帯状のもの、或いは、ショルダーバッグ、手提げ付き紙袋、レジ袋などを掛けることもあるが、特許文献１〜４ではハンガーの支持部は左右に一連に延びているため、マフラーや袋類を安定的に保持しにくい場合が多いという問題がある。他方、特許文献５，６は支持部が左右に分離しているのでマフラーや袋類を安定的に保持できるとは言えるが、特許文献５では支持部が外から内に向かっているため袋類を掛けにくく、また、特許文献６は足部の左右中間部が脚杆部に固着されていて言わば脚杆部と左右足部とが三叉状になっているためマフラー等が引っ掛かりやすいという別の問題がある。
【００１０】
以上のように従来のハンガーはその形態に起因して幾つかの問題があったが、これに加えて、取付け構造においても問題があった。例えば、特許文献３や特許文献６に顕著に表れているように、ハンガーの取付け箇所が背もたれの裏側に大きく露出して体裁が悪くなることがある点が挙げられる。この問題点は、特許文献２のようにハンガーの足部を背もたれの内部に隠すことで解消できるとは言えるが、これでは背もたれの構造が著しく複雑化すると共にハンガーの取付け・取り外しの作業が著しく面倒である。
【００１１】
本願発明は、上記の諸問題を改善することを目的とするものである。
【課題を解決するための手段】
【００１２】
本願発明はハンガーとこれを取付けた椅子とを含んでいる。ハンガーの発明は請求項１に記載した構成になっている。すなわち、ハンガーは、椅子の背もたれの背面部又は背もたれが取り付くバックフレームに固定される左右横長の取付け部と、平面視で前記取付け部の左右両端から後ろ向きに延びる左右の中間部と、前記左右中間部の後端から左右外側に延びていて衣類が掛けられるアーム部とから成り、これら取付け部と中間部とアーム部との三者から成る全体が樹脂で一体成形されている構成であって、前記左右中間部を、前記取付け部に直接に繋がっていて側面視で後方と上方とに延びる形態とすることにより、前記取付け部と左右中間部とが、平面視では後ろ向き開口略コ字状の形態で背面視では上向き開口略コ字状の形態になっており、前記左右アーム部は連続せずに両者の間には空間が空いている。
【００１３】
椅子の発明は請求項２に記載している。本願発明の椅子は、背もたれの裏側にバックフレームが配置されており、前記バックフレームの上部に衣類用ハンガーを取り付けている、という基本構成であり、バックフレームとハンガーとが特有の構成になっている。
【００１４】
すなわち、まずバックフレームについて述べると、前記バックフレームは、前記背もたれの縦長中心線を挟んだ左右両側において上下方向に延びる左右の縦枠と、前記左右縦枠の上端を一体に繋ぐ上枠と、前記上枠の前面部と左右縦枠の上部前面部とに一体に設けられたアッパープレートとを主要素としており、前記アッパープレートは左右縦枠の左右外側に延びると共に上枠の上下両側に広がっており、このためバックフレームの上部には、左右縦枠と上枠とアッパープレートとで囲われた後ろ向き開口の上部凹所が形成されている。
【００１５】
他方、請求項２において前記ハンガーは、前記バックフレームの上部凹所に裏側から重ねて固定される取付け部と、平面視で前記取付け部の左右両端から後ろ向きに延びる左右の中間部と、前記左右中間部の後端から左右外側に延びていて衣類が掛けられるアーム部とを備えており、前記取付け部と左右中間部とは、平面視では後ろ向き開口略コ字状の形態で背面視では上向き開口略コ字状の形態になっており、左右アーム部は連続せずに両者の間には空間が空いている。
【発明の効果】
【００１６】
≪請求項１の効果≫
本願発明では、ハンガーは椅子の背もたれ又はバックフレームに固定するものであるため、取付け構造が複雑化することはない。そして、ハンガーのアーム部は取付け部の後方に位置していて背もたれの背面（或いはバックフレームの背面）とアーム部との間に間隔が空いているため、アーム部は背もたれの上面と同じ程度かそれより低くしてもハンガー機能には支障はない。このため、発明が解決しようとする課題の欄で述べた要請に応えて椅子の使い勝手や美観を向上させることができる。
【００１７】
また、左右のアーム部は分離しているため、タオルやマフラー、或いは鞄類・袋類は中間部の箇所に安定良く掛けることができる。特に、アーム部は中間部から左右外側に延びているため、手提げ鞄やショルダーバッグを掛ける場合、カバーやバッグの紐をアーム部に自然な状態で通すことができる。また、中間部は取付け部から延びている単純な形態であるため、これに掛けた物品（例えばマフラー）を取り外すに際して物品が引っ掛かることもない。
【００１８】
≪請求項２の効果≫
請求項２の発明では、ハンガーの取付け部はバックフレームの上部凹所に入り込んでいるため、恰もハンガーはバックフレームと一体構造であるかのような外観を呈しており、このため美観に優れている。また、ハンガーの取付け部をバックフレームの左右支柱（或いは左右支柱と上枠）に密着させることにより、ハンガーの取付け強度を向上できると共にバックフレームの堅牢性を高めることが可能になる。
【発明を実施するための最良の形態】
【００１９】
次に、本願発明の実施形態を図面に基づいて説明する。本実施形態は事務用等に使用される回転椅子に適用している。なお、以下の説明では方向を示す用語として前後左右の文言を使用するが、これは着座した人から見た状態を基準にしている。
【００２０】
(1).椅子の概要
先ず、図１及び図２に基づいて椅子の概要を説明する。図１のうち（Ａ）は椅子を前方から見た斜視図、（Ｂ）は椅子の左側面図、図２のうち（Ａ）は椅子の背面図、（Ｂ）は椅子を後方から見た斜視図である。
【００２１】
椅子は、脚１と座２と背もたれ３とを備えている。脚１は、放射状に延びる枝足４を有する接地体とその中心に設けた脚支柱（ガスシリンダ）５とを備えており、脚支柱５の上端には上向き開口箱状のベース６が固定されている。各枝足４の先端にはキャスタが取付けられている。背もたれ３は、その全体がエラストマーを配合した柔軟な樹脂板からなっており、前面と後面には縦長の多数のリブが形成されている。敢えて述べるまでもないが、背もたれ３は、樹脂製インナーシェルにクッションを張った構造などの各種の構造を採用できる。
【００２２】
ベース６の後端部でかつ左右両側部には、側面視で略後傾姿勢の左右一対の傾動フレーム７が左右長手の軸（図示せず）によって連結されている。傾動フレーム７の後端にはバックフレーム８がボルトで固定されており、バックフレーム８の上端部の前面に背もたれ３の上部が固定されており、かつ、バックフレーム８の上端部の裏面に衣類用ハンガー９が取付けられている。
【００２３】
傾動フレーム７はアルミ等の金属製（ダイキャスト製品）である一方、バックフレーム８は合成樹脂の成形品であり、傾動フレーム７とバックフレーム８とで背支持フレームが構成されている。なお、傾動フレーム７とバックフレーム８とを一体成形することも可能である。
【００２４】
座２は、ベース６の前部に連結した左右一対のフロントリンク１０と、バックフレーム材７に回動自在に取り付けられた左右一対のリアリンク１１とに連結されており、人が着座すると、座２はリンク１０，１１の回動によって下降しつつ後退動する。
【００２５】
他方、背もたれ３の下部はアッパーリンク１２及びロアリンク１３によって連結されており、詳細は省略するが、人が着座して座２が下降すると背もたれ３の下部が前進動するようになっている。従って、人が浅く腰掛けても、背もたれ３の下部のランバーサポート部（側面視で前向き突状に湾曲している部分）で人の腰が支えられる。傾動フレーム７の前部にはオプション品としての肘掛け装置を取り付けている。
【００２６】
なお、図２（Ｂ）から理解できるように、アッパーリンク１２は平面視で前向き凹状に湾曲した弓形に形成されており、その左右両端部が背もたれ３におけるランバーサポート部の左右両端部に連結されている。このため、ランバーサポート部は人の体圧によって伸び変形し得る。
【００２７】
左右の傾動フレーム６の間には、座２の下降動によって背もたれ３のランバーサポート部を前進させる連動装置が配置されており、アッパーリンク１２とロアリンク１３とは、連動装置を構成する前後傾動式で上下長手のバックリンク１４（図２（Ｂ）参照）に連結されている。
【００２８】
バックフレーム８は、上下に長い左右２本の縦枠１５と、左右縦枠１５の上端に一体に繋がって横長の上枠１６と、縦枠１５の上部前面及び上枠１６の前面に一体に繋がった左右横長のアッパープレート１７と、左右縦枠１５の下端に一体に繋がった横長の下枠１８とで構成されており、縦枠１５の下部が傾動フレーム７に固定されている。縦枠１５と上枠１６との連接部は丸みを持っている。左右の縦枠１５は、背もたれ３の縦長中心線を挟んだ両側の対称の位置に配置されている。
【００２９】
縦枠１５と上枠１６と下枠１８は概ね台形に近い断面形状であり、各部位は概ね開口した樋状になっている。また、下枠１８は前向きに開口した樋状になっている。いずれにしても内部には補強リブの群が形成されている。
【００３０】
バックフレーム８のアッパープレート１７は背もたれ３とほぼ同じ横幅であり、上枠１６の上下両側にはみ出た状態になっている。そして、縦枠１５と上枠１６とがアッパープレート１７の後ろ側に突出しているため、左右縦枠１５と上枠１６とアッパープレート１７とで囲われた部分は後ろ向きに開口した上部凹所１９になっており、この上部凹所１９にハンガー９が取付けられるようになっている。
【００３１】
アッパープレート１７のうち縦枠１５及び上枠１６の外側の部分は着脱自在な外カバー２０で覆われており、上部凹所１０の箇所は内カバー２１で覆われている。内カバー２１は、ハンガー９を取付けていないときにはアッパープレート１７に装着されて、ハンガー９を取付けているときにはハンガー９に装着されている。なお、図２（Ａ）ではハンガー９は表示していない。
【００３２】
(2).バックフレームと背もたれ
次に、バックフレーム８と背もたれ３との取付け構造の詳細を、図３〜図８を参照して説明する。図３は椅子の部分的な平面図、図４はバックフレーム８の上部と外カバー２０との分離斜視図、図５は背もたれ３の上部の部分的な背面図、図６は背もたれ３の左側面図、図７のうち（Ａ）はバックフレーム８の上部の部分的な背面図、（Ｂ）はバックフレーム８の上部の部分的な正面図、（Ｃ）はバックフレーム８の左側面図、図８は図７（Ａ）の VIII-VIII視箇所での断面図で、（Ａ）は背もたれ３とバックフレーム８とハンガー９との分離図、（Ｂ）はハンガー９を固定した状態での縦断側面図である。
【００３３】
背もたれ３の上部はバックフレーム８の上枠１６に多数本（８本）のビス２３（図４参照）で固定されている。この点を説明する。例えば図６や図８に示すように、背もたれ３のうちバックフレーム８のアッパープレート１７と重なる重合部３ａは、前向きにせり出すと共に後ろ向きに開口した略樋状のような湾曲断面形状になっており、この重合部３ａにバックフレーム８のアッパープレート１７が嵌まっている。
【００３４】
そして、背もたれ３の重合部３ａに、横方向からナット２４を差し込みできるポケット部２５が多数個（８個）形成されている一方、アッパープレート１７には、ポケット部２５に嵌合する凹部２６が形成されており、凹部２６に貫通したビス２３を板ナット２４にねじ込むことにより、背もたれ３がアッパープレート１７に固定されている。
【００３５】
背もたれ３の重合部３ａとバックフレーム８のアッパープレート１７とには、多数の補強用又は嵌合用のリブが形成されている。アッパープレート１７は、縦枠１５及び上枠１６の外側の箇所においてビス２３で背もたれ３に固定されている。図４において符号２７で示すビスは、ハンガー９を固定するためのものである。図４に示すように、外カバー２０には前向きに突出した複数の係合爪２８が形成されており、係合爪２８は、その弾性に抗しての変形によってアッパープレート１７の係合穴に嵌め入れられている。なお、背もたれ３の重合部３ａの左右両端部は図示しないサイドカバーで塞がれている。
【００３６】
(3).ハンガーの形態及び取付け構造
次に、ハンガーの形態及び取付け構造の詳細を図９以下の図面も参照して説明する。図９のうち（Ａ）はハンガー９の取付け部を中心にした背面図、（Ｂ）はハンガー９の部分的な正面図、図１０のうち（Ａ）はハンガー９のおおまかな斜視図、（Ｂ）はハンガー９の左側面図、図１１は分離斜視図、図１２のうち（Ａ）は分離平断面図、（Ｂ）は図９の XIIB -XIIB 視断面図である。
【００３７】
ハンガー９は樹脂の成形品であり、例えば図１１に示すように、バックフレーム８の上部凹所１９に入り込む左右横長の取付け部９ａと、取付け部９ａの左右両端から後方及び上方に延びる左右の中間部９ｂと、左右中間部９ｂの上端（或いは後端）から左右外向きに延びる左右のアーム部９ｃとで構成されている。従って、取付け部９ａと左右中間部９ｂとは、平面視では後ろ向きに開口したコ字状の形態を成しており、背面視（正面視）では上向きに開口したコ字状の形態を成している。中間部９ｂは、全体的に見ると若干湾曲した状態で後方及び上方に延びているが、付け根部は側面視で水平に近い状態になっている。
【００３８】
図３に示すように、背もたれ３の上端は平面視で前向き凹状に緩く湾曲しており、ハンガー９のアーム部９ｃも背もたれ３の平面視での形態に倣って緩い曲率で湾曲している。また、図１１に示すように、アーム部９ｃの上面は緩い曲率で上向き凸状に湾曲している。左右のアーム部９ｃは中間部９ｂから左右外側のみに延びており、このため、左右中間部９ｂの間は完全に間隔が空いている。但し、左右のアーム部９ｃを中間部９ｂよりも多少は内側に入り込ませることは可能である。アーム部９ｃの上面は背もたれ３の上面とほぼ同じ高さになっている（正確にはアーム部９ｃが僅かに低くなっているが、見た目では殆ど同じ高さになっている。）。勿論、アーム部９ｃは、目視において明瞭に違いが分かる程度に背もたれ３より高くしたり低くしたりしても良い。
【００３９】
例えば図１１，１２のとおり、ハンガー９の取付け部９ａは、前後の板部２９ａ，２９ｂが左右にずれている平面視クランク状の板ナット２９を使用してバックフレーム８のアッパープレート１７に固定されている。
【００４０】
すなわち、図１２から明瞭に理解できるように、バックフレーム８におけるアッパープレート１７のうち上部凹所１９に位置した左右の箇所に、板ナット２９の前板２９ａを手前側に差し込むためのスリット３０と、板ナット２９の前板２９ａが手間側から密着する前向き凹部３１とを形成しており、板ナット２９の前板２９ａに雌ねじ穴３２が形成されており、取付け部９ａに貫通したビス２７を板ナット２９の前板２９ａにねじ込むことにより、ハンガー９をアッパープレート１７に固定している。
【００４１】
ハンガー９の取付け部９ａの前面には、板ナット２９の後板２９ｂとの干渉を回避するための逃がし凹部３３が形成されており、また、取付け部９ａにはビス２７の頭が隠れる座ぐり穴３４が形成されている。クランク状の板ナット２９を使用するのは、アッパープレート１７が背もたれ３に重なっていて単なる平板状の板ナット２９では前向き凹部３１に装着できないためである。換言すると、板ナット２９をクランク状の形態にすることにより、椅子の組立後にハンガー９を簡単に取付けることができるのであり、これにより、オプション品であるハンガー９は簡単に後付けできる。
【００４２】
図９及び図１２に示すように、取付け部９ａの左右両端寄り部位には、逃がし凹部３３の左右両端部と連通した係合穴３５を空けている一方、内カバー２１の左右両端寄り部位には、弾性に抗しての変形によって係合穴３５に嵌入する係合爪３６を前向きに突設している。そして、取付け部９ａにおける係合穴３５の左右外側の内側面とアッパープレート１７におけるスリット３０の左右外側の内側面とを一致させることにより、内カバー２１をハンガー９の取付け部９ａとバックフレーム８のアッパープレート１７とのいずれにも取付けできるように配慮している。
【００４３】
図１２（Ｂ）に示すように、取付け部９ａにおける中間部９ｂの付け根部はバックフレーム８における縦枠１５の内側面に密着しており、また、図８（Ｂ）に示すように、取付け部９ａにおける中間部９ｂの付け根部はバックフレーム８における上枠１６の内側面（下面）に密着している。このように取付け部９ａの中間部９ｂが縦枠１５と上枠１６とに密着していることにより、ハンガー９の取付け部９ａとバックフレーム８の上部とは互いに補強しあう関係になっており、その結果、ハンガー９は２本のビス２７での固定でありながらしっかりと固定されていると共に、バックフレーム８の上部は堅牢な状態に保持されている。
【００４４】
更に、取付け部９ａの左右両端（或いは中間部９ｂの前端面）に上下一対の突起３７を設けている一方、上部凹所１９には、前記突起３７が嵌合する後ろ向き開口穴３８を設けている。突起３７が穴３８に嵌まっていることにより、ハンガー９はしっかりと位置決めされており、これによっても、取付け部９ａとバックフレーム８とが補強し合う機能が助長されている。
【００４５】
バックフレーム８の縦枠１５と上枠１６とはいずれも台形に近い断面形状であり、このため、中間部９ｂの付け根部の外面９ｂ′は縦枠１５と上枠１６とに密着するように傾斜状にカットされたような形態になっている。このように、中間部９ｂは縦枠１５及び上枠１６にしっかりと食い込み勝手になっている。この点、バックフレーム８とハンガー９とが補強しあう機能が一層助長されている。
【００４６】
(4).まとめ
ハンガー９には背広やセーターのような袖付き衣類を掛けることができるのみならず、タオルやマフラー、紐付きやベルト付きの鞄類、袋類等も掛けることができる。その場合、タオルやマフラーも鞄類や袋類は、中間部９ｂに掛けることで安定良く保持される。また、アーム部９ｃは内側から外側に向けているため、例えば手提げ鞄の把っ手を通すことをごく自然な動作で行える。
【００４７】
また、ハンガー９を手で掴んで椅子を移動させることも可能である。ハンガー９に衣服を掛けていない状態で背もたれ３の上端を手で掴む場合、左右のアーム部９ｃの間が空間になっていることにより、背もたれ３の左右中間部を掴みやすいという利点もある。
【００４８】
なお、左右中間部９ｂの間の間隔寸法は一般成人の拳が楽に入る程度の寸法（例えば８０〜１２０ｍｍ程度が好ましい。ハンガー９の全体の前後奥行き寸法は背広類がバックフレーム８に当たらない程度の寸法でできるだけ小さいのが好ましい。具体的には、８０〜１２０ｍｍ程度が良いと言える。更に、ハンガー９の全体の高さも、背広類の肩部をアーム部９ｃで支持する機能を阻害しない状態でできるだけ低いのが好ましく、具体的には、８０〜１２０ｍｍ程度が好ましいと言える。
【００４９】
(5).その他
本願発明は上記の実施形態の他にも様々に具体化できる。例えばハンガーの各部位の具体的な形状は必要に応じて任意に設定できる。バックフレームを備えていない椅子の場合は、ハンガーは背もたれの背面に固定したら良い。
【図面の簡単な説明】
【００５０】
【図１】（Ａ）は椅子の斜視図、（Ｂ）は側面図である。
【図２】（Ａ）は椅子の背面図、（Ｂ）は椅子の斜視図である。
【図３】椅子の部分的な平面図である。
【図４】バックフレームと外カバーとの分離斜視図である。
【図５】背もたれの上部の部分的な背面図である。
【図６】背もたれの左側面図である。
【図７】（Ａ）はバックフレームの部分的な背面図、（Ｂ）はバックフレームの部分的な正面図、（Ｃ）はバックフレームの左側面図である。
【図８】（Ａ）は背もたれとバックフレームとハンガーとの分離断面図、（Ｂ）はハンガーを固定した状態での縦断側面図である。
【図９】（Ａ）はハンガーの取付け部を中心にした背面図、（Ｂ）はハンガーの部分的な正面図である。
【図１０】（Ａ）はハンガーのおおまかな斜視図、（Ｂ）はハンガーの左側面図である。
【図１１】ハンガーと内カバーと板ナットとの分離斜視図である。
【図１２】（Ａ）は分離平断面図、（Ｂ）は図９の XII-XII視断面図である。
【符号の説明】
【００５１】
２  座
３  背もたれ
７  傾動フレーム
８  バックフレーム
９  ハンガー
９ａ  取付け部
９ｂ  中間部
９ｃ  アーム部
１５  バックフレームの縦枠
１６  バックフレームの上枠
１７  バックフレームのアッパープレート
１９  バックフレームの上部凹所
２１
【図１】
0005144181.tif 000002
【図２】
0005144181.tif 000003
【図３】
0005144181.tif 000004
【図４】
0005144181.tif 000005
【図５】
0005144181.tif 000006
【図６】
0005144181.tif 000007
【図７】
0005144181.tif 000008
【図８】
0005144181.tif 000009
【図９】
0005144181.tif 000010
【図１０】
0005144181.tif 000011
【図１１】
0005144181.tif 000012
【図１２】
0005144181.tif 000013